Podtech/llm-jp-corpus-v4-ja_patent huggingface dataset:
【誤訳訂正書】
【提出日】令和2年12月15日(2020.12.15)
【誤訳訂正１】
【訂正対象書類名】特許請求の範囲
【訂正対象項目名】全文
【訂正方法】変更
【訂正の内容】
【特許請求の範囲】
【請求項１】
多孔質担体及び多孔質担体上に配置された架橋カチオン性ポリマーコーティングを含むアニオン交換多孔質媒体であって、
前記架橋カチオン性ポリマーコーティングが、モノマー（Ａ）、モノマー（Ｂ）、及び架橋剤を含み、
モノマー（Ａ）が式：
ＣＨ２＝Ｃ（Ｒ１）−Ｃ（＝Ｏ）−ＮＨ−（ＣＨ２）ｎ−Ｎ’Ｒ２Ｒ３
〔式中、ｎは１〜６である〕
を有し、
モノマー（Ｂ）が式：
ＣＨ２＝Ｃ（Ｒ４）−Ｃ（＝Ｏ）−ＮＲ５Ｒ６
〔これらの式中、Ｒ１及びＲ４は独立にＨ又はＣ１〜Ｃ６アルキルであり、
Ｒ２、Ｒ３、Ｒ５及びＲ６は独立にＨ、Ｃ１〜Ｃ６アルキル、Ｃ６〜Ｃ１０アリール、メトキシメチル、又はトリフェニルメチルである〕
を有し、
前記架橋剤が、プロピレングリコールジグリシジルエーテル、グリセリルトリグリシジルエーテル、ポリエチレングリコールジグリシジルエーテル、グリコールジエステル、ジアルデヒド、ジハライド、ジアシルクロリド、ジスルホニルクロリド及びこれらの任意の組合せからなる群より選択される、
アニオン交換多孔質媒体。
【請求項２】
Ｒ１がＣ１〜Ｃ６アルキルであり、Ｒ４がＨである、請求項１に記載のアニオン交換多孔質媒体。
【請求項３】
Ｒ１がメチルである、請求項１又は２に記載のアニオン交換多孔質媒体。
【請求項４】
Ｒ２及びＲ３がＨであり、Ｒ５及びＲ６が独立にＣ１〜Ｃ６アルキルである、請求項１〜３のいずれか一項に記載のアニオン交換多孔質媒体。
【請求項５】
Ｒ２及びＲ３がＨであり、Ｒ５及びＲ６がメチルである、請求項１〜４のいずれか一項に記載のアニオン交換多孔質媒体。
【請求項６】
Ｒ２、Ｒ３、Ｒ５及びＲ６が独立にＨ、メチル、フェニル、メトキシメチル又はトリフェニルメチルである、請求項１〜３のいずれか一項に記載のアニオン交換多孔質媒体。
【請求項７】
Ｒ２及びＲ３がＨであり、Ｒ５及びＲ６が独立にメチル、フェニル、メトキシメチル又はトリフェニルメチルである、請求項１〜３のいずれか一項に記載のアニオン交換多孔質媒体。
【請求項８】
前記架橋カチオン性ポリマーコーティングが２種の異なるモノマー（Ａ）及び１種のモノマー（Ｂ）を含む、請求項１〜７のいずれか一項に記載のアニオン交換多孔質媒体。
【請求項９】
前記架橋カチオン性ポリマーコーティングが２種の異なるモノマー（Ａ）及び２種の異なるモノマー（Ｂ）を含む、請求項１〜７のいずれか一項に記載のアニオン交換多孔質媒体。
【請求項１０】
前記架橋カチオン性ポリマーコーティングが１種のモノマー（Ａ）及び２種の異なるモノマー（Ｂ）を含む、請求項１〜７のいずれか一項に記載のアニオン交換多孔質媒体。
【請求項１１】
膜である、請求項１〜１０のいずれか一項に記載のアニオン交換多孔質媒体。
【請求項１２】
アニオン交換多孔質媒体を生産する方法であって、
（ｉ）  少なくとも１種のモノマー（Ａ）及び少なくとも１種のモノマー（Ｂ）を含むモノマー混合物を重合させて、コポリマーを得るステップであり、
モノマー（Ａ）が式：
ＣＨ２＝Ｃ（Ｒ１）−Ｃ（＝Ｏ）−ＮＨ−（ＣＨ２）ｎ−ＮＲ２Ｒ３
〔式中、ｎは１〜６である〕
を有し、
モノマー（Ｂ）が式：
ＣＨ２＝Ｃ（Ｒ４）−Ｃ（＝Ｏ）−ＮＲ５Ｒ６
を有する
〔これらの式中、Ｒ１及びＲ４は独立にＨ又はＣ１〜Ｃ６アルキルであり、
Ｒ２、Ｒ３、Ｒ５及びＲ６は独立にＨ、Ｃ１〜Ｃ６アルキル、Ｃ６〜Ｃ１０アリール、メトキシメチル、又はトリフェニルメチルである〕、
ステップ、
（ｉｉ）  （ｉ）で得たコポリマーの溶液及び架橋剤を多孔質担体にコーティングし、架橋させて多孔質担体に配置された架橋コーティングを得るステップ、並びに
（ｉｉｉ）  （ｉｉ）で得たコポリマーコーティングに存在するアミノ基の少なくとも一部分を、イソプロピルグリシジルエーテル、フェニルグリシジルエーテル、ｔｅｒｔ−ブチルグリシジルエーテル、エチルヘキシルグリシジルエーテル、グリシジルメチルエーテル又はベンジルグリシジルエーテルから選択される四級化剤と反応させることにより、四級化するステップ
を含み、
前記架橋剤がプロピレングリコールジグリシジルエーテル、グリセリルトリグリシジルエーテル、ポリエチレングリコールジグリシジルエーテル、グリコールジエステル、ジアルデヒド、ジハライド、ジアシルクロリド、ジスルホニルクロリド及びこれらの任意の組合せからなる群より選択される、方法。
【請求項１３】
前記架橋剤が、グリセリルトリグリシジルエーテル、ポリエチレングリコールジグリシジルエーテル、グリコールジエステル、ジアルデヒド、ジハライド、ジアシルクロリド、ジスルホニルクロリド及びその任意の組合せから選択される、請求項１２に記載の方法。
【請求項１４】
所望のタンパク質及び１種又は複数の負荷電化学種を含む流体を処理する方法であって、流体を請求項１〜１１のいずれか一項に記載のアニオン交換多孔質媒体又は請求項１２若しくは１３に記載の方法により生産されるアニオン交換多孔質媒体と接触させるステップ、及び所望のタンパク質を、低下した前記１種又は複数の負荷電化学種の濃度で、回収するステップを含む、方法。
【請求項１５】
流体が、流体が３０ｍＳ／ｃｍまでの導電率を示すような塩含有率を有する、請求項１４に記載の方法。
【請求項１６】
所望のタンパク質が抗体である、請求項１４又は１５に記載の方法。
【請求項１７】
所望のタンパク質が生物学的製剤である、請求項１４又は１５に記載の方法。
【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
遊技を行う遊技機であって、
表実装面に発光体が実装される複数の装飾基板と、
前記複数の装飾基板のうち特定装飾基板の表実装面の前方に配置されると共に透明な領域を有する装飾部と、
を有し、
前記特定装飾基板の表実装面には、
白色塗膜と、
該白色塗膜上に黄色の塗料で印刷される前記発光体と対応する表記部と、
が設けられ、
前記白色塗膜は、前記発光体と対向する前記特定装飾基板の表実装面の部位にも形成され、
前記装飾部は、前記発光体が消灯している状態において、前記透明な領域を通して前記特定装飾基板の前記白色塗膜を視認可能とされる、
ことを特徴とする遊技機。
【手続補正２】
【補正対象書類名】明細書
【補正対象項目名】０００７
【補正方法】変更
【補正の内容】
【０００７】
上記した目的を達成するために、本発明においては、
遊技を行う遊技機であって、
表実装面に発光体が実装される複数の装飾基板と、
前記複数の装飾基板のうち特定装飾基板の表実装面の前方に配置されると共に透明な領域を有する装飾部と、
を有し、
前記特定装飾基板の表実装面には、
白色塗膜と、
該白色塗膜上に黄色の塗料で印刷される前記発光体と対応する表記部と、
が設けられ、
前記白色塗膜は、前記発光体と対向する前記特定装飾基板の表実装面の部位にも形成され、
前記装飾部は、前記発光体が消灯している状態において、前記透明な領域を通して前記特定装飾基板の前記白色塗膜を視認可能とされる、
ことを特徴とする。
【手続補正書】
【提出日】令和2年12月24日(2020.12.24)
【手続補正１】
【補正対象書類名】特許請求の範囲
【補正対象項目名】全文
【補正方法】変更
【補正の内容】
【特許請求の範囲】
【請求項１】
サンプル中の微生物を検出する方法であって
ａ）蛍光標識を含むオフレートの遅い修飾アプタマー（SOMAmer）と共にサンプルをインキュベートするステップ、
ｂ）任意にサンプルを洗浄するステップ、
ｃ）蛍光ベースの検出方法によってサンプルを分析するステップ
を含み、
SOMAmerが、配列番号１のヌクレオチド配列、または、配列番号１に完全に相補的なヌクレオチド配列を含み、
微生物が、Staphylococcus aureusである、前記方法。
【請求項２】
蛍光ベースの検出方法が、フローサイトメトリー、固相サイトメトリー、蛍光ベースの分析方法および蛍光イメージングシステムからなる群から選択されることを特徴とする、請求項１に記載の方法。
【請求項３】
サンプルが、臨床サンプル、食品または飼料サンプル、飲料サンプル、医薬品サンプル、パーソナルケアまたは化粧品サンプルおよび／または水サンプルであることを特徴とする、請求項１に記載の方法。
【請求項４】
SOMAmerが、Staphylococcus aureusに特異的なヌクレオチド配列を含むことを特徴とする、請求項１に記載の方法。
【請求項５】
蛍光標識が、フルオレセイン色素、ローダミン色素、シアニン色素、ペリジニンクロロフィル（ＰｅｒＣＰ）、Ｒ−フィコエリトリン、クマリン色素および量子ドットからなる群から選択されることを特徴とする、請求項１に記載の方法。
【請求項６】
SOMAmerが、配列番号１のヌクレオチド配列を含むことを特徴とする、請求項１に記載の方法。
【手続補正書】
【提出日】令和3年10月21日(2021.10.21)
【手続補正１】
【補正対象書類名】明細書
【補正対象項目名】発明の名称
【補正方法】変更
【補正の内容】
【発明の名称】画像処理装置、その制御方法、並びにプログラム
【手続補正２】
【補正対象書類名】明細書
【補正対象項目名】０００１
【補正方法】変更
【補正の内容】
【０００１】
本発明は、画像処理装置、その制御方法、並びにプログラムに関する。
【手続補正３】
【補正対象書類名】明細書
【補正対象項目名】０００６
【補正方法】変更
【補正の内容】
【０００６】
本発明の目的は、原稿の厚さを設定し忘れたことによるジャムの発生を抑制することができる仕組みを提供することにある。
【手続補正４】
【補正対象書類名】明細書
【補正対象項目名】０００７
【補正方法】変更
【補正の内容】
【０００７】
上記目的を達成するために、本発明の画像処理装置は、原稿トレイに置かれた原稿を搬送する搬送手段と、前記搬送手段によって搬送された前記原稿の画像を読み取る読取手段とを有する画像処理装置であって、前記原稿トレイに原稿が置かれたことを検知する検知手段と、前記検知手段が前記原稿トレイに前記原稿が置かれたことを検知したことを条件に所定のタイミングでユーザから前記原稿の厚さを受け付けるためのオブジェクトを表示する表示手段と、前記オブジェクトによって受け付けた厚さを示す情報に基づいて前記搬送手段による前記原稿の搬送を制御する制御手段とを有することを特徴とする。
【手続補正５】
【補正対象書類名】明細書
【補正対象項目名】０００８
【補正方法】変更
【補正の内容】
【０００８】
本発明によれば、原稿の厚さを設定し忘れたことによるジャムの発生を抑制することができる。
【手続補正６】
【補正対象書類名】特許請求の範囲
【補正対象項目名】全文
【補正方法】変更
【補正の内容】
【特許請求の範囲】
【請求項１】
原稿トレイに置かれた原稿を搬送する搬送手段と、前記搬送手段によって搬送された前記原稿の画像を読み取る読取手段とを有する画像処理装置であって、
前記原稿トレイに原稿が置かれたことを検知する検知手段と、
前記検知手段が前記原稿トレイに前記原稿が置かれたことを検知したことを条件に所定のタイミングでユーザから前記原稿の厚さを受け付けるためのオブジェクトを表示する表示手段と、
前記オブジェクトによって受け付けた厚さを示す情報に基づいて前記搬送手段による前記原稿の搬送を制御する制御手段とを有することを特徴とする画像処理装置。
【請求項２】
前記原稿の厚さを示す情報に基づいて、前記原稿の裏写り防止機能を有効にすることを特徴とする請求項１に記載の画像処理装置。
【請求項３】
前記オブジェクトによって受け付けた前記原稿の厚さが第１の厚さである場合に、前記裏写り防止機能を有効にせず、前記オブジェクトによって受け付けた厚さが前記第１の厚さより薄い第２の厚さである場合に、前記原稿の裏写り防止機能を有効にすることを特徴とする請求項２に記載の画像処理装置。
【請求項４】
前記オブジェクトによって受け付けた前記原稿の厚さが前記第１の厚さである場合に、前記制御手段は、前記搬送手段に第１の搬送速度で前記原稿を搬送させ、前記オブジェクトによって受け付けた前記原稿の厚さが前記第２の厚さである場合に、前記制御手段は、前記搬送手段に前記第１の搬送速度より遅い第２の搬送速度で前記原稿を搬送させることを特徴とする請求項３に記載の画像処理装置。
【請求項５】
前記裏写り防止機能が有効になったことを示す通知を行う通知手段をさらに有することを特徴とする請求項２乃至４のいずれか１項に記載の画像処理装置。
【請求項６】
前記搬送手段は、湾曲した搬送パスを介して前記原稿を搬送することを特徴とする請求項１乃至５のいずれか１項に記載の画像処理装置。
【請求項７】
前記読取手段によって読み取られた前記原稿の画像を印刷する印刷手段をさらに有することを特徴とする請求項１乃至６のいずれか１項に記載の画像処理装置。
【請求項８】
前記読取手段によって読み取られた前記原稿の画像に基づいて生成された画像データを送信する送信手段をさらに有することを特徴とする請求項１乃至７のいずれか１項に記載の画像処理装置。
【請求項９】
原稿トレイに置かれた原稿を搬送する搬送手段と、前記搬送手段によって搬送された前記原稿の画像を読み取る読取手段とを有する画像処理装置の制御方法であって、
前記原稿トレイに原稿が置かれたことを検知する検知ステップと、
前記検知ステップにおいて前記原稿トレイに前記原稿が置かれたことを検知したことを条件に所定のタイミングでユーザから前記原稿の厚さを受け付けるためのオブジェクトを表示する表示ステップと、
前記オブジェクトによって受け付けた厚さを示す情報に基づいて前記搬送手段による前記原稿の搬送を制御する制御ステップとを有することを特徴とする画像処理装置の制御方法。
【請求項１０】
請求項９に記載された画像処理装置の制御方法をコンピュータに実行させるプログラム。
【請求項１１】
原稿トレイに置かれた原稿を搬送する搬送手段と、原稿台と、前記原稿台に置かれた原稿の画像又は前記原稿トレイから搬送された原稿の画像を読み取る読取手段とを有する画像処理装置であって、
前記原稿トレイに原稿が置かれたことを検知する検知手段と、
前記検知手段が前記原稿トレイに前記原稿が置かれたことを検知したことを条件に所定のタイミングでユーザから前記原稿の厚さを受け付けるためのオブジェクトを表示する表示手段と、
前記オブジェクトによって受け付けた厚さを示す情報に基づいて前記搬送手段による前記原稿の搬送を制御する制御手段とを有し、
前記原稿台に前記原稿が置かれても前記オブジェクトは自動的に表示されないことを特徴とする画像処理装置。
【請求項１２】
前記読取手段は、前記搬送手段によって前記原稿を搬送することなく前記原稿台に置かれた前記原稿の画像を読み取ることを特徴とする請求項１１に記載の画像処理装置。
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
画像中で互いに重なり合っている物体の属性に基づき、該互いに重なり合っている物体のうち前面の物体に対する符号量を設定する設定手段と、
前記前面の物体の領域を、該物体について前記設定手段が設定した符号量で符号化する符号化手段と
を備えることを特徴とする画像処理装置。
【請求項２】
前記設定手段は、前記画像中で互いに重なり合っている物体のうち背面の物体の属性に対して予め設定されている設定符号量が、前記前面の物体の属性に対して予め設定されている設定符号量よりも大きい場合には、前記背面の物体に対して予め設定されている設定符号量を、前記前面の物体に対する符号量として設定することを特徴とする請求項１に記載の画像処理装置。
【請求項３】
前記設定手段は、前記前面の物体の属性が、背面を視認が可能な物体の属性として予め設定されている属性であれば、前記画像中で互いに重なり合っている物体のうち背面の物体の属性に対して予め設定されている設定符号量を、前記前面の物体に対する符号量として設定することを特徴とする請求項１に記載の画像処理装置。
【請求項４】
前記設定手段は、前記画像中で互いに重なり合っていない物体、前記画像中で互いに重なり合っている物体のうち背面の物体、のそれぞれに対し、該物体の属性に対して予め設定されている設定符号量を設定することを特徴とする請求項１乃至３の何れか１項に記載の画像処理装置。
【請求項５】
更に、
前記画像中で互いに重なり合っている物体を検出する手段を備えることを特徴とする請求項１乃至４の何れか１項に記載の画像処理装置。
【請求項６】
更に、
前記符号化手段によって符号化された画像を出力する手段を備えることを特徴とする請求項１乃至５の何れか１項に記載の画像処理装置。
【請求項７】
前記画像を取得する手段と、
請求項１乃至６の何れか１項に記載の画像処理装置と
を備えることを特徴とする撮像装置。
【請求項８】
画像処理装置が行う画像処理方法であって、
前記画像処理装置の設定手段が、画像中で互いに重なり合っている物体の属性に基づき、該互いに重なり合っている物体のうち前面の物体に対する符号量を設定する設定工程と、
前記画像処理装置の符号化手段が、前記前面の物体の領域を、該物体について前記設定工程で設定した符号量で符号化する符号化工程と
を備えることを特徴とする画像処理方法。
【請求項９】
コンピュータを、請求項１乃至６の何れか１項に記載の画像処理装置の各手段として機能させるためのコンピュータプログラム。
【手続補正書】
【提出日】令和3年10月21日(2021.10.21)
【手続補正１】
【補正対象書類名】明細書
【補正対象項目名】０００６
【補正方法】変更
【補正の内容】
【０００６】
上記目的を達成するために、本発明の撮像装置は、発光手段と、画像データから被写体の顔領域を検出する検出手段と、前記発光手段を発光させていない画像データから被写体の顔領域が検出されない場合、前記発光手段を発光させた画像データから被写体の顔領域が検出される第１領域を推定する推定手段と、推定された前記第１領域に複数の枠を設定する設定手段と、前記発光手段を発光させていない画像データに対して設定された前記複数の枠の信号値に基づいて調光を行う調光手段と、を備えることを特徴とする。
【手続補正２】
【補正対象書類名】特許請求の範囲
【補正対象項目名】全文
【補正方法】変更
【補正の内容】
【特許請求の範囲】
【請求項１】
発光手段と、
画像データから被写体の顔領域を検出する検出手段と、
前記発光手段を発光させていない画像データから被写体の顔領域が検出されない場合、前記発光手段を発光させた画像データから被写体の顔領域が検出される第１領域を推定する推定手段と、
推定された前記第１領域に複数の枠を設定する設定手段と、
前記発光手段を発光させていない画像データに対して設定された前記複数の枠の信号値に基づいて調光を行う調光手段と、
を備えることを特徴とする撮像装置。
【請求項２】
前記設定手段は、前記発光手段を発光させていない画像データから被写体の顔領域が検出された場合、検出された被写体の顔領域に１つの枠を設定し、
前記調光手段は、前記発光手段を発光させていない画像データに対して設定された前記１つの枠の信号値に基づいて調光を行うことを特徴とする請求項１に記載の撮像装置。
【請求項３】
前記推定手段は、前記発光手段を発光させていない画像データのうち、輝度値が所定値以下である領域を前記第１領域として推定することを特徴とする請求項１または２に記載の撮像装置。
【請求項４】
前記推定手段は、前記輝度値が前記所定値以下である領域であり、且つ被写体までの距離が所定距離以下である領域を前記第１領域として特定することを特徴とする請求項３に記載の撮像装置。
【請求項５】
前記推定手段は、前記発光手段のガイドナンバー、調光時の絞り値または前記発光手段の配光に基づいて、前記所定距離を決定することを特徴とする請求項４に記載の撮像装置。
【請求項６】
前記推定手段は、前記発光手段によりプリ発光が行われる前に前記第１領域の推定を行うことを特徴とする請求項１乃至５のうち何れか１項に記載の撮像装置。
【請求項７】
前記第１領域に設定された前記複数の枠の信号値を積分する第１積分手段と、
画像データ全体の第２領域に対して設定された複数の他の枠の信号値を積分する第２積分手段と、をさらに備え、
前記第１積分手段が積分する前記枠の面積は、前記第２積分手段が積分する前記他の枠の面積より小さいことを特徴とする請求項１乃至６のうち何れか１項に記載の撮像装置。
【請求項８】
前記設定手段は、前記第１領域に設定された前記枠の面積に対する、前記第２領域に設定された前記他の枠の面積の割合が所定以上の場合、画像データを２つの領域に分割し、分割された２つの領域のうち一方の領域に前記枠を割り当て、他方の領域に前記他の枠を割り当てることを特徴とする請求項７記載の撮像装置。
【請求項９】
前記第１領域に設定された複数の枠を表示する表示手段をさらに備えることを特徴とする請求項１乃至８のうち何れか１項に記載の撮像装置。
【請求項１０】
発光手段を有する撮像装置の制御方法であって、
前記発光手段を発光させていない画像データから被写体の顔領域を検出する検出工程と、
前記検出工程で被写体の顔領域が検出されない場合、前記発光手段を発光させた画像データから被写体の顔領域が検出される第１領域を推定する推定工程と、
前記推定工程で推定された前記第１領域に複数の枠を設定する設定工程と、
前記発光手段を発光させていない画像データに対して前記設定工程で設定された前記複数の枠の信号値に基づいて調光を行う調光工程と、
を備えることを特徴とする撮像装置の制御方法。
【手続補正書】
【提出日】令和3年6月15日(2021.6.15)
【手続補正１】
【補正対象書類名】明細書
【補正対象項目名】０００７
【補正方法】変更
【補正の内容】
【０００７】
請求項１記載の発明は、液体の流路に接続可能なケースと、該ケース内に取り付けられ、前記流路の液体を充填し得る液相部と、気体を充填し得る気相部とを区画するとともに、前記液相部に充填された液体の圧力に応じて変位可能な膜部材とを具備し、前記気相部の圧力を検出することにより前記流路における液体の圧力を検出する圧力検出器において、前記気相部は、前記膜部材の変位に応じて気体を流入又は流出させ得る開口が形成されるとともに、前記膜部材が前記気相部側に変位する過程で前記開口による気体の流入又は流出を保持し得る保持部が前記開口を中心として放射状に形成されたことを特徴とする。
【手続補正２】
【補正対象書類名】特許請求の範囲
【補正対象項目名】全文
【補正方法】変更
【補正の内容】
【特許請求の範囲】
【請求項１】
液体の流路に接続可能なケースと、
該ケース内に取り付けられ、前記流路の液体を充填し得る液相部と、気体を充填し得る気相部とを区画するとともに、前記液相部に充填された液体の圧力に応じて変位可能な膜部材と、
を具備し、前記気相部の圧力を検出することにより前記流路における液体の圧力を検出する圧力検出器において、
前記気相部は、前記膜部材の変位に応じて気体を流入又は流出させ得る開口が形成されるとともに、前記膜部材が前記気相部側に変位する過程で前記開口による気体の流入又は流出を保持し得る保持部が前記開口を中心として放射状に形成されたことを特徴とする圧力検出器。
【請求項２】
前記保持部は、前記開口と連通した流通路から成り、前記膜部材が前記気相部側に変位する過程において、前記流通路にて気体の流通を許容させることにより前記開口による気体の流入又は流出を保持することを特徴とする請求項１記載の圧力検出器。
【請求項３】
前記流通路は、前記気相部における前記開口の周りに形成されたリブ又は溝により形成されることを特徴とする請求項２記載の圧力検出器。
【請求項４】
前記流通路は、前記気相部における前記開口の周りに形成された凹部と、前記開口を含みつつ前記凹部を覆うとともに気体の通過を許容する許容部材とにより構成されたことを特徴とする請求項２記載の圧力検出器。
【請求項５】
前記許容部材は、気体の通過を許容しつつ液体の通過を遮断する疎水性膜から成ることを特徴とする請求項４記載の圧力検出器。
【請求項６】
前記流通路は、前記膜部材における気相部側の表面に形成されたリブ又は溝により形成されることを特徴とする請求項２記載の圧力検出器。
【請求項７】
請求項１〜６の何れか１つの圧力検出器が接続されたことを特徴とする血液回路。
【手続補正書】
【提出日】令和3年8月26日(2021.8.26)
【手続補正１】
【補正対象書類名】明細書
【補正対象項目名】００１３
【補正方法】変更
【補正の内容】
【００１３】
本発明によるレゾルバ部のシールド構造は、モータ部にレゾルバ部を接続したレゾルバ部のシールド構造において、前記モータ部の回転軸に設けられたレゾルバロータと、前記モータ部のモータケース内の前記回転軸に設けられたモータロータと、前記レゾルバロータの外側に配設されたレゾルバステータと、前記モータ部のモータケースの内側に設けられ、前記回転軸を軸支するための軸受を有する壁部と、前記壁部と前記レゾルバステータとの間に設けられ、少なくとも３個の段部又は３個の弧状の曲部を有する磁性体シールドと、を備え、前記モータ部の前記壁部と前記レゾルバステータとの間に配設された前記磁性体シールドにより、前記モータ部のモータステータからの漏れ磁束による前記軸受の磁化を抑えるようにした構成であり、また、前記磁性体シールドは、最も前記回転軸に近い内周部が、前記軸受の外周部に接近し、かつ、前記回転軸の横断方向に沿って見た時、前記内周部と外周部とが互いに重合している構成である。
【手続補正２】
【補正対象書類名】明細書
【補正対象項目名】００１４
【補正方法】変更
【補正の内容】
【００１４】
本発明によるレゾルバ部のシールド構造は、以上のように構成されているため、次のような効果を得ることができる。
すなわち、モータ部にレゾルバ部を接続したレゾルバ部のシールド構造において、前記モータ部の回転軸に設けられたレゾルバロータと、前記モータ部のモータケース内の前記回転軸に設けられたモータロータと、前記レゾルバロータの外側に配設されたレゾルバステータと、前記モータ部のモータケースの内側に設けられ、前記回転軸を軸支するための軸受を有する壁部と、前記壁部と前記レゾルバステータとの間に設けられ、少なくとも３個の段部又は３個の弧状の曲部を有する磁性体シールドと、を備え、前記モータ部の前記壁部と前記レゾルバステータとの間に配設された前記磁性体シールドにより、前記モータ部のモータステータからの漏れ磁束による前記軸受の磁化を抑えるように構成したことにより、磁性体シールドの３個の段部又は曲部がレゾルバのステータの内側に会い、軸受の近傍にその先端が位置しているため、モータからの漏れ磁束による軸受の磁化を抑えることができる。
前記磁性体シールド板は、最も前記回転軸に近い内周部が、前記軸受の外周部に接近し、かつ、前記回転軸の横断方向に沿って見た時、前記内周部と外周部とが互いに重合していることにより、漏れ磁束が軸受を避けて通るため、軸受の磁性化を抑えることができ、軸受の寿命を延ばすことができる。
【手続補正３】
【補正対象書類名】特許請求の範囲
【補正対象項目名】全文
【補正方法】変更
【補正の内容】
【特許請求の範囲】
【請求項１】
モータ部（２）にレゾルバ部（１２）を接続したレゾルバ部のシールド構造において、前記モータ部（２）の回転軸（７）に設けられたレゾルバロータ（９）と、前記モータ部（２）のモータケース（１）内の前記回転軸（７）に設けられたモータロータ（８）と、前記レゾルバロータ（９）の外側に配設されたレゾルバステータ（１１）と、前記モータ部（２）のモータケース（１）の内側に設けられ、前記回転軸（７）を軸支するための軸受（６Ａ）を有する壁部（４）と、前記壁部（４）と前記レゾルバステータ（１１）との間に設けられ、少なくとも３個の段部（５０、５１、５２）又は３個の弧状の曲部（６０、６１、６２）を有する磁性体シールド（１３）と、を備え、
前記モータ部（２）の前記壁部（４）と前記レゾルバステータ（１１）との間に配設された前記磁性体シールド（１３）により、前記モータ部（２）のモータステータ（３）からの漏れ磁束（Ａ）による前記軸受（６Ａ）の磁化を抑えるように構成したことを特徴とするレゾルバ部のシールド構造。
【請求項２】
前記磁性体シールド（１３）は、最も前記回転軸（７）に近い内周部（７０）が、前記軸受（６Ａ）の外周部（７１）に接近し、かつ、前記回転軸（７）を横断方向（Ｍ、Ｎ）に沿って見た時、前記内周部（７０）と外周部（７１）が互いに重合していることを特徴とするレゾルバ部のシールド構造。
【手続補正書】
【提出日】令和3年10月26日(2021.10.26)
【手続補正１】
【補正対象書類名】特許請求の範囲
【補正対象項目名】全文
【補正方法】変更
【補正の内容】
【特許請求の範囲】
【請求項１】
有効画素が設けられた有効画素領域および前記有効画素領域の周辺に位置する周辺領域を有する半導体デバイスと、
前記半導体デバイスの主面に対する平面視において、前記有効画素領域および前記周辺領域に重なるように配置された透光板と、
前記透光板と前記有効画素領域との間および前記透光板と前記周辺領域との間に配置されたカラーフィルタ層と、
前記透光板と前記周辺領域との間に配置され、前記透光板と前記半導体デバイスとを接合する接合部材と、を備え、
前記平面視において、前記カラーフィルタ層の外縁の少なくとも一部が、前記有効画素領域と前記接合部材との間に位置し、
前記平面視における前記有効画素領域から前記一部までの第１距離は、前記有効画素領域の上に配された前記カラーフィルタ層から前記透光板までの前記主面に垂直な方向における第２距離よりも大きいことを特徴とする半導体装置。
【請求項２】
前記第１距離は、前記一部から前記半導体デバイスの端までの第３距離よりも小さい、請求項１に記載の半導体装置。
【請求項３】
前記第１距離は、前記第２距離の２倍以上である、請求項１または２に記載の半導体装置。
【請求項４】
前記第１距離は、前記一部から前記接合部材までの第４距離よりも小さい、請求項１乃至３のいずれか１項に記載の半導体装置。
【請求項５】
前記第１距離は１００μｍ以上かつ１０００μｍ以下であり、
前記第２距離は５０μｍ以下であり、
前記第３距離は５００μｍ以上である、請求項２に記載の半導体装置。
【請求項６】
前記有効画素領域は、有機ＥＬ素子を含む、請求項１乃至５のいずれか１項に記載の半導体装置。
【請求項７】
前記周辺領域の上において前記カラーフィルタ層は、複数色のカラーフィルタがアレイ状に配された第１部分と、単色のカラーフィルタが延在する第２部分と、を有し、前記第１部分が前記第２部分と前記有効画素領域との間に位置し、前記第２部分における前記単色のカラーフィルタの幅は前記第１距離よりも大きい、請求項１乃至６のいずれか１項に記載の半導体装置。
【請求項８】
前記周辺領域は周辺回路が配された周辺回路領域を含み、前記カラーフィルタ層は前記周辺回路領域の上に配されている、請求項１乃至７のいずれか１項に記載の半導体装置。
【請求項９】
前記周辺領域は、前記周辺回路領域と前記有効画素領域との間に位置し、非有効画素が設けられた領域を含み、前記カラーフィルタ層は前記非有効画素が設けられた前記領域の上に配されている、請求項８に記載の半導体装置。
【請求項１０】
青色フィルタが前記カラーフィルタ層の前記外縁の全周を構成する、請求項１乃至９のいずれか１項に記載の半導体装置。
【請求項１１】
前記平面視において、前記カラーフィルタ層の前記外縁の全周が、前記有効画素領域と前記接合部材との間に位置する、請求項１乃至１０のいずれか１項に記載の半導体装置。
【請求項１２】
前記有効画素領域および前記周辺領域の上に配された樹脂層を備え、前記カラーフィルタ層は前記樹脂層と前記半導体デバイスとの間に位置し、前記接合部材は前記樹脂層と前記透光板との間に配されている、請求項１乃至１１のいずれか１項に記載の半導体装置。
【請求項１３】
前記接合部材は、樹脂からなるマトリックスと、前記マトリックに分散した、樹脂からなるフィラーと、を含む、請求項１乃至１２のいずれか１項に記載の半導体装置。
【請求項１４】
前記カラーフィルタ層と前記透光板との間に設けられ、前記透光板に接触する透光部材を備える、請求項１乃至１３のいずれか１項に記載の半導体装置。
【請求項１５】
前記有効画素領域には、複数の画素電極と、前記複数の画素電極に対向する対向電極と、前記複数の画素電極と前記対向電極との間に設けられた機能層と、が設けられており、前記平面視において、前記カラーフィルタ層の前記外縁が前記対向電極に重なる、請求項１乃至１４のいずれか１項に記載の半導体装置。
【請求項１６】
前記複数の画素電極と前記半導体デバイスとの間には配線構造が設けられており、前記対向電極は前記対向電極と前記配線構造との接触部を有し、前記平面視において、前記カラーフィルタ層の前記外縁は前記接触部と前記有効画素領域との間に位置する、請求項１５に記載の半導体装置。
【請求項１７】
前記機能層は有機発光層である、請求項１５または１６に記載の半導体装置。
【請求項１８】
前記半導体デバイスに含まれる半導体基板を貫通する電極をさらに備える、請求項１乃至１７のいずれか１項に記載の半導体装置。
【請求項１９】
前記半導体装置と、
前記半導体装置に接続されたフレキシブル配線板と、を備えるモジュールであって、
前記平面視において、前記半導体装置と前記フレキシブル配線板との電気的な接続部と、前記一部と、の間に前記接合部材が位置する、請求項１乃至１８のいずれか１項に記載の半導体装置。
【請求項２０】
イメージセンサーと、
電子ビューファインダーと、を備えるカメラであって、
前記電子ビューファインダーの表示装置が請求項１乃至１９のいずれか１項に記載の半導体装置であることを特徴とするカメラ。
【請求項２１】
請求項１乃至２０のいずれか１項に記載の半導体装置を備える機器であって、
前記半導体装置に対応付けられた光学系、
前記半導体装置を制御する制御装置、
前記半導体装置から出力された信号を処理する処理装置、
前記半導体装置で得られた情報を表示する表示装置、
前記半導体装置で得られた情報を記憶する記憶装置、および、
前記半導体装置で得られた情報に基づいて前記半導体装置を移動させる機械装置、の少なくともいずれかを更に備えることを特徴とする機器。
【手続補正書】
【提出日】令和3年4月20日(2021.4.20)
【手続補正１】
【補正対象書類名】明細書
【補正対象項目名】０００８
【補正方法】変更
【補正の内容】
【０００８】
本開示のリアクトルは、磁気飽和し難く、小型である。
【手続補正２】
【補正対象書類名】明細書
【補正対象項目名】００４６
【補正方法】変更
【補正の内容】
【００４６】
〈磁性コア〉
《概要》
本例の磁性コア３は、図２に示すように巻回部２ａ，２ｂ内に配置される箇所を有し、主として内側コア部３１を構成する部材と、巻回部２ａ，２ｂ外に配置され、主として外側コア部３２を構成する部材との合計四つの柱状の部材を備える。主として内側コア部３１を構成する部材として、複合材料の成形体３７を備える。主として外側コア部３２を構成する部材として、第一の複合コア３０、第二の複合コア３４を備える。各複合材料の成形体３７の一端面と複合コア３０の内端面３ｅとが接続される。各複合材料の成形体３７の他端面と複合コア３４の内端面３ｅとが接続される。この接続によって上記四つの部材は、環状に構成される。
【手続補正３】
【補正対象書類名】明細書
【補正対象項目名】００５９
【補正方法】変更
【補正の内容】
【００５９】
本例では、複合材料の成形体３５の下面と圧粉成形体３９の上面とで形成される界面は、上述のように高さ方向に直交することから、磁束方向（図３では紙面左右方向）に実質的に平行に配置される。また、上記界面は、内側コア部３１の外周面のうち、高さ方向の上側の面とほぼ同じ高さに位置する。上記界面が磁束方向に実質的に平行であれば、複合材料の成形体３５と圧粉成形体３９との間に微小な隙間（例、０．１ｍｍ以下）が有っても、磁路に与える影響は実質的に無視できる程度であると考えられる。上記界面が、内側コア部３１の端面（ここでは複合材料の成形体３７の端面）以外の箇所に位置することからも、磁路への影響が小さいと考えられる。従って、上記微小な隙間を許容する。なお、上記界面を磁束方向に交差するように設けてもよい。しかし、磁路への影響、積層時の作業性等を考慮すると、上記界面は、本例のように磁束方向に実質的に平行であることが好ましい。上記界面の位置を、上記内側コア部３１の端面の位置に配置してもよい（後述の実施形態４，５参照）。
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
粘着シートに貼着された電子部品をピックアップするピックアップ部と、
前記粘着シートの前記電子部品とは反対側の面に対向して設けられたバックアップ部と、
を有し、
前記バックアップ部は、
前記粘着シートのピックアップされる前記電子部品に対応する領域を吸着保持する吸着面と、
前記吸着面内に共通の軸に沿って移動可能に設けられ、外形の大きさが異なる複数の押圧体が前記共通の軸に同軸の入れ子状に配設された押圧部と、
前記押圧部を移動させて、全ての押圧体により前記粘着シートを押圧する押圧動作と、いずれかの押圧体から隣接する押圧体を順次、前記電子部品を粘着シートから剥離させる離隔方向へ移動させる離隔動作とを行わせる駆動機構と、
前記駆動機構に設けられ、前記共通の軸に沿って移動する単一の駆動部材の動作を、前記複数の押圧体の離隔動作に変換する変換機構と、
を有し、
前記変換機構は、
各押圧体の相反する側面から外方に延出した少なくとも一対の延出部と、
各押圧体の延出部を前記離隔方向に個別に付勢する付勢部材と、
前記駆動部材により駆動され、各押圧体の前記離隔方向への移動を、いずれかの押圧体から隣接する押圧体へと順次許容する第１のカム機構と、
を有し、
前記第１のカム機構は、
各押圧体の前記粘着シートに押圧される押圧面とは反対側の面に設けられ、前記共通の軸に交差する方向に沿って、前記押圧体毎に形状が異なるカム面と、
各押圧体のカム面に接して、各押圧体を前記付勢部材に抗する方向に付勢するとともに、前記離隔方向に交差する方向に移動するローラシャフトと、
を有し、
前記カム面の形状に応じて、前記一対の延出部の一方と他方に対する付勢部材の付勢力が相違することを特徴とする電子部品のピックアップ装置。
【請求項２】
前記ローラシャフトの移動範囲は、前記吸着面の外縁の範囲内であることを特徴とする請求項１記載の電子部品のピックアップ装置。
【請求項３】
最も外側の前記押圧体の一対の前記延出部が最も外側に設けられ、内側の前記押圧体になるに従って、前記延出部が順次内側に設けられていることを特徴とする請求項１又は請求項２記載の電子部品のピックアップ装置。
【請求項４】
前記変換機構は、
前記駆動部材の前記共通の軸に沿う方向への移動を、前記ローラシャフトの前記離隔方向に交差する方向への移動へ変換する第２のカム機構を有することを特徴とする請求項１乃至３のいずれかに記載の電子部品のピックアップ装置。
【請求項５】
前記第２のカム機構は、
ローラ及びこれに接する傾斜面を有し、
前記ローラ及び前記傾斜面のいずれか一方を前記共通の軸に沿って移動させる主動カム、他方を前記共通の軸に交差する方向に移動させる従動カムとする直動カムであることを特徴とする請求項４記載の電子部品のピックアップ装置。
【請求項６】
前記押圧部は、５個以上の押圧体を備え、
最も外側の押圧体は、押圧面の大きさが、ピックアップされる前記電子部品の前記粘着シートに貼り付けられる面の大きさと同じ或いは若干小さくなるように形成され、
最も内側の押圧体は、押圧面の面積が、ピックアップされる前記電子部品の前記粘着シートに貼り付けられる面の面積の３０％以下となる大きさに形成されて成ることを特徴とする請求項１乃至５のいずれかに記載の電子部品のピックアップ装置。
【請求項７】
粘着シートに貼着された電子部品をピックアップするピックアップ機構と、
前記粘着シートの前記電子部品とは反対側の面に対向して設けられたバックアップ部と、
を有し、
前記バックアップ部は、
前記粘着シートのピックアップされる前記電子部品に対応する領域を吸着保持する吸着面と、
前記吸着面内に共通の軸に沿って移動可能に設けられ、外形の大きさが異なる複数の押圧体が前記共通の軸に同軸の入れ子状に配設された押圧部と、
前記押圧部を移動させて、全ての押圧体により前記粘着シートを押圧する押圧動作と、いずれかの押圧体から隣接する押圧体を順次、前記電子部品を粘着シートから剥離させる離隔方向へ移動させる離隔動作とを行う駆動機構と、
前記駆動機構に設けられ、前記共通の軸に沿って移動する単一の駆動部材の動作を、前記複数の押圧体の離隔動作に変換する変換機構と、
を有し、
前記変換機構は、
各押圧体の相反する側面から外方に延出した少なくとも一対の延出部と、
各押圧体を前記離隔方向に個別に付勢する付勢部材と、
各押圧体の前記粘着シートに押圧される押圧面とは反対側の面に設けられ、前記共通の軸に交差する方向に沿って、前記押圧体毎に形状が異なるカム面と、
各押圧体のカム面に接して、各押圧体を前記付勢部材に抗する方向に付勢するとともに、前記離隔方向に交差する方向に移動するローラシャフトと、
を有し、
前記カム面の形状に応じて、前記一対の延出部の一方と他方に対する付勢部材の付勢力が相違することを特徴とする電子部品のピックアップ装置。
【請求項８】
半導体チップを貼着保持した粘着シートを保持する供給装置と、
基板を載置する基板ステージと、
前記供給装置が保持した前記粘着シートから前記半導体チップをピックアップするピックアップ装置と、
前記ピックアップ装置によって取り出された前記半導体チップを、前記基板に実装する実装機構と、を備えた実装装置であって、
前記ピックアップ装置は、請求項１乃至７のいずれかに記載のピックアップ装置であることを特徴とする実装装置。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
以下のアミノ酸置換：
ａ）ＡＡＶ２の４６３〜４７５位に対応するアミノ酸位置におけるＳＱＡＧＡＳＤＩＲＤＱＳＲ４６３〜４７５ＳＶＡＧＰＳＮＭＡＶＱＧＲの置換、および
ｂ）ＡＡＶ２のアミノ酸４９９〜５０２におけるＥＹＳＷ４９９〜５０２ＥＦＡＷの置換
を含み、
前記置換がドナーＡＡＶ９血清型由来のガラクトース結合部位を鋳型レシピエントＡＡＶ血清型のカプシドタンパク質中に導入する、アデノ随伴ウイルス（ＡＡＶ）カプシドタンパク質。
【請求項２】
前記レシピエントＡＡＶ血清型が、ヒトＡＡＶおよび非ヒトＡＡＶからなる群から選択される、請求項１に記載のＡＡＶカプシドタンパク質。
【請求項３】
前記レシピエントＡＡＶ血清型が、ヒトＡＡＶ、非ヒト霊長類ＡＡＶ、トリＡＡＶおよびウシＡＡＶからなる群から選択される、請求項２に記載のＡＡＶカプシドタンパク質。
【請求項４】
前記レシピエントＡＡＶ血清型が、ＡＡＶ１、ＡＡＶ２、ＡＡＶ３ａ、ＡＡＶ３ｂ、ＡＡＶ４、ＡＡＶ５、ＡＡＶ６、ＡＡＶ７、ＡＡＶ８、ＡＡＶ９、ＡＡＶ１０、トリＡＡＶ、ＢＢ１、ＢＢ２、ＣＨ５、ＣＹ２、ＣＹ３、ＣＹ４、ＣＹ５、ＣＹ６、Ｈｕ  ＬＧ１５、Ｈｕ  Ｓ１７、Ｈｕ  Ｔ１７、Ｈｕ  Ｔ４１、Ｈｕ  Ｔ７０、Ｈｕ  Ｔ７１、Ｈｕ  Ｔ８８、Ｈｕ１、Ｈｕ２、Ｈｕ３、Ｈｕ４、Ｈｕ６、Ｈｕ７、Ｈｕ９、Ｈｕ１０、Ｈｕ１１、Ｈｕ１３、Ｈｕ１５、Ｈｕ１６、Ｈｕ１７、Ｈｕ１８、Ｈｕ１９、Ｈｕ２０、Ｈｕ２１、Ｈｕ２２、Ｈｕ２３、Ｈｕ２４、Ｈｕ２５、Ｈｕ２７、Ｈｕ２８、Ｈｕ２９、Ｈｕ３４、Ｈｕ３５、Ｈｕ３７、Ｈｕ３９、Ｈｕ４０、Ｈｕ４１、Ｈｕ４２、Ｈｕ４３、Ｈｕ４４、Ｈｕ４５、Ｈｕ４６、Ｈｕ４７、Ｈｕ４８、Ｈｕ４９、Ｈｕ５１、Ｈｕ５２、Ｈｕ５４、Ｈｕ５５、Ｈｕ５６、Ｈｕ５７、Ｈｕ５８、Ｈｕ６０、Ｈｕ６１、Ｈｕ６３、Ｈｕ６４、Ｈｕ６６、Ｈｕ６７、Ｒｈ１、Ｒｈ２、Ｒｈ８、Ｒｈ１０、Ｒｈ１２、Ｒｈ１３、Ｒｈ１４、Ｒｈ１６、Ｒｈ１７、Ｒｈ１８、Ｒｈ１９、Ｒｈ２２、Ｒｈ２３、Ｒｈ２４、Ｒｈ２５、Ｒｈ２６、Ｒｈ２７、Ｒｈ３１、Ｒｈ３２、Ｒｈ３３、Ｒｈ３４、Ｒｈ３５、Ｒｈ３６、Ｒｈ３７、Ｒｈ３８、Ｒｈ４０、Ｒｈ４３、Ｒｈ４８、Ｒｈ４９、Ｒｈ５０、Ｒｈ５１、Ｒｈ５２、Ｒｈ５３、Ｒｈ５４、Ｒｈ５５、Ｒｈ５７、Ｒｈ５８、Ｒｈ６０、Ｒｈ６１、Ｒｈ６２およびＲｈ６４からなる群から選択される、請求項１に記載のＡＡＶカプシドタンパク質。
【請求項５】
前記レシピエントＡＡＶ血清型が、ＡＡＶ１、ＡＡＶ２、ＡＡＶ３ａ、ＡＡＶ３ｂ、ＡＡＶ４、ＡＡＶ５、ＡＡＶ６、ＡＡＶ７、ＡＡＶ８、ＡＡＶ９およびＡＡＶ１０からなる群から選択される、請求項４に記載のＡＡＶカプシドタンパク質。
【請求項６】
前記レシピエントＡＡＶ血清型がＡＡＶ１であり、前記対応するアミノ酸位置における置換がＳＲＧＳＰＡＧＭＳＶＱＰＫ４６４〜４７６ＳＶＡＧＰＳＮＭＡＶＱＧＲおよびＮＦＴＷ５００〜５０３ＥＦＡＷである、請求項４に記載のＡＡＶカプシドタンパク質。
【請求項７】
前記レシピエントＡＡＶ血清型がＡＡＶ２である、請求項４に記載のＡＡＶカプシドタンパク質。
【請求項８】
アミノ酸５８５〜５９０がＱＱＮＴＡＰにさらに置換されている、請求項７に記載のＡＡＶカプシドタンパク質。
【請求項９】
前記レシピエントＡＡＶ血清型がＡＡＶ３ａであり、前記対応するアミノ酸位置における置換がＳＱＡＧＰＱＳＭＳＬＱＡＲ４６４〜４７６ＳＶＡＧＰＳＮＭＡＶＱＧＲおよびＮＦＰＷ５００〜５０３ＥＦＡＷである、請求項４に記載のＡＡＶカプシドタンパク質。
【請求項１０】
前記レシピエントＡＡＶ血清型がＡＡＶ３ｂであり、前記対応するアミノ酸位置における置換がＳＱＡＧＰＱＳＭＳＬＱＡＲ４６４〜４７６ＳＶＡＧＰＳＮＭＡＶＱＧＲおよびＮＦＰＷ５００〜５０３ＥＦＡＷである、請求項４に記載のＡＡＶカプシドタンパク質。
【請求項１１】
前記レシピエントＡＡＶ血清型がＡＡＶ４であり、前記対応するアミノ酸位置における置換がＴＫＬＲＰＴＮＦＳＮＦＫＫ４５８〜４７０ＳＶＡＧＰＳＮＭＡＶＱＧＲ、およびＤＳＬＩ４９９〜５０２ＥＦＡＷである、請求項４に記載のＡＡＶカプシドタンパク質。
【請求項１２】
前記レシピエントＡＡＶ血清型がＡＡＶ５であり、前記対応するアミノ酸位置における置換がＮＫＮＬＡＧＲＹＡＮＴＹＫ４５０〜４６２ＳＶＡＧＰＳＮＭＡＶＱＧＲ、およびＶＳＡＦ４８６〜４８９ＥＦＡＷである、請求項４に記載のＡＡＶカプシドタンパク質。
【請求項１３】
前記レシピエントＡＡＶ血清型がＡＡＶ６であり、前記対応するアミノ酸位置における置換がＳＲＧＳＰＡＧＭＳＶＱＰＫ４６４〜４７６ＳＶＡＧＰＳＮＭＡＶＱＧＲおよびＮＦＴＷ５００〜５０３ＥＦＡＷである、請求項４に記載のＡＡＶカプシドタンパク質。
【請求項１４】
前記レシピエントＡＡＶ血清型がＡＡＶ７であり、前記対応するアミノ酸位置における置換がＹＱＧＧＰＳＴＭＡＥＱＡＫ４６６〜４７８ＳＶＡＧＰＳＮＭＡＶＱＧＲ、およびＮＦＡＷ５０２〜５０５ＥＦＡＷである、請求項４に記載のＡＡＶカプシドタンパク質。
【請求項１５】
前記レシピエントＡＡＶ血清型がＡＡＶ８であり、前記対応するアミノ酸位置における置換がＳＱＧＧＰＮＴＭＡＮＱＡＫ４６６〜４７８ＳＶＡＧＰＳＮＭＡＶＱＧＲおよびＮＦＡＷ５０２〜５０５ＥＦＡＷである、請求項４に記載のＡＡＶカプシドタンパク質。
【請求項１６】
前記レシピエントＡＡＶ血清型がＡＡＶ１０であり、前記対応するアミノ酸位置における置換がＳＱＡＧＰＡＮＭＳＡＱＡＫ４６６〜４７８ＳＶＡＧＰＳＮＭＡＶＱＧＲおよびＮ５０２Ｅである、請求項４に記載のＡＡＶカプシドタンパク質。
【請求項１７】
前記レシピエントＡＡＶ血清型がＡＡＶ１である、請求項１に記載のＡＡＶカプシドタンパク質。
【請求項１８】
（ａ）請求項１７に記載のＡＡＶカプシドと、
（ｂ）少なくとも１つの末端反復配列を含む核酸と、
を含むウイルスベクターであって、前記核酸が、前記ＡＡＶカプシドによってカプシド封入されている、ウイルスベクター。
【請求項１９】
薬学的に許容される担体中に請求項１に記載のＡＡＶカプシドタンパク質を含む、組成物。
【請求項２０】
薬学的に許容される担体中に請求項１７に記載のＡＡＶカプシドタンパク質を含む、組成物。
【請求項２１】
薬学的に許容される担体中に請求項１８に記載のウイルスベクターを含む、組成物。
【請求項２２】
請求項１８に記載のウイルスベクターを含む、核酸を細胞に送達するため医薬組成物。
【請求項２３】
前記細胞が対象中に存在する、請求項２２に記載の医薬組成物。
【請求項２４】
前記対象がヒト対象である、請求項２３に記載の医薬
組成物。
【手続補正２】
【補正対象書類名】明細書
【補正対象項目名】０１９９
【補正方法】変更
【補正の内容】
【０１９９】
【表３Ａ】
2020072703.tif 000001
【表３Ｂ】
2020072703.tif 000002
【表３Ｃ】
2020072703.tif 000003
【手続補正３】
【補正対象書類名】明細書
【補正対象項目名】配列表
【補正方法】変更
【補正の内容】
【配列表】
2020072703000001.app
【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
複数台のラックであって、前記複数台のラックの各々は、植物を栽培する複数の栽培槽を備える、複数台のラックと、
前記複数台のラックを接離可能なように配列し、前記複数台のラックが一体的に前進するように誘導する走行ラインと、
主線と、
隣接したラック間に接続可能な複数の副線と
を備え、
前記複数台のラックの各々は、前記複数の副線のうちの１つを備え、
前記複数台のラックのうちの先頭のラックが備える前記複数の副線のうちの１つは前記主線に接続され、前記先頭のラック以外のそれぞれのラックが備える前記複数の副線のうちの１つは、それぞれ隣接する前方のラックに接続されている、植物栽培システム。
【請求項２】
前記複数台のラックの各々は、さらに前記複数の栽培槽の各々に給水する給水管と、前記複数の栽培槽の各々から排水する排水管と、前記給水管と前記排水管との間で水を循環させるポンプとを備える、請求項１に記載の植物栽培システム。
【請求項３】
前記走行ラインは、床に設けられている、請求項１または２に記載の植物栽培システム。
【請求項４】
前記走行ラインは、ガイドレールを備えている、請求項１〜３のいずれかに記載の植物栽培システム。
【請求項５】
前記複数台のラックの各々は、キャスタを備えている、請求項１〜４のうちのいずれか一項に記載の植物栽培システム。
【請求項６】
前記複数台のラックの各々は、前記複数の栽培槽で栽培されている植物を照明する照明手段を備えている、請求項１〜５のうちいずれか一項に記載の植物栽培システム。
【請求項７】
請求項１〜６のいずれか一項に記載の植物栽培システムを用いて植物を栽培することを含む、植物栽培方法。
【請求項８】
前記複数の栽培槽を前記複数台のラックの各々にセットする工程と、
前記複数台のラックを植物の生育順に隣り合わせて走行ライン上に並べる工程と、
植物の生育状態に合わせて前記複数台のラックを間歇的に前進させる工程と、
前記複数台のラックのうちの先頭のラックを前記複数台のラックのうちの後続のラックから分離し、前記後続のラックの後尾のラックに新規のラックを隣り合わせる工程と
を含む、請求項７に記載の植物栽培方法。
【請求項９】
前記複数の栽培槽は、植物の播種、育苗、定植の各生育状態に応じて、隣り合った植物の間隔が密から疎に植え替えられる複数種類使用される、請求項８に記載の植物栽培方法。
【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
ヒトジストロフィン遺伝子の第５３番目のエクソンの５’末端から第３６〜５３番目のヌクレオチドからなる配列に相補的な塩基配列を有し、かつ１８〜２８塩基の長さであり、前記エクソンのスキッピングを可能にするモルホリノオリゴマーと、
カチオン性担体と、
を含む医薬組成物。
【請求項２】
前記カチオン性担体はカチオン性ポリマーである、請求項１に記載の医薬組成物。
【請求項３】
前記モルホリノオリゴマーの５’末端が、下記化学式（１）〜（３）：
【化１】
2020072724.tif 000001
のいずれかの基である、請求項１又は２に記載の医薬組成物。
【請求項４】
前記モルホリノオリゴマーの５’末端が、式（１）
【化２】
2020072724.tif 000002
で示す基である、請求項１〜３のいずれか1項に記載の医薬組成物。
【請求項５】
前記モルホリノオリゴマーはホスホロジアミデートモルホリノオリゴマーである、請求項１〜４のいずれか１項に記載の医薬組成物。
【請求項６】
筋ジストロフィーを治療するための、請求項１〜５のいずれか１項に記載の医薬組成物。
【手続補正２】
【補正対象書類名】明細書
【補正対象項目名】０１３０
【補正方法】変更
【補正の内容】
【０１３０】
RT-PCRに使用したフォワードプライマーとリバースプライマーの塩基配列は以下の通りである。
フォワードプライマー：5’-CATCAAGCAGAAGGCAACAA-3’  （配列番号42）
リバースプライマー：5’-GAAGTTTCAGGGCCAAGTCA-3’  （配列番号43）
【手続補正３】
【補正対象書類名】明細書
【補正対象項目名】０１３２
【補正方法】変更
【補正の内容】
【０１３２】
上記nested PCRに使用したフォワードプライマーとリバースプライマーの塩基配列は以下の通りである。
フォワードプライマー：5’-AGGATTTGGAACAGAGGCGTC-3’  （配列番号40）
リバースプライマー：5’-GTCTGCCACTGGCGGAGGTC-3’  （配列番号41）
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
ゲームのプレイ中にユーザが行うべき複数の操作のそれぞれを操作が行われるべき時期と対応付けて記述した操作指示データに基づいてゲーム画面上に指示標識を表示させるとともに、前記ゲーム中の現在時刻に対応する基準標識を前記ゲーム画面上に表示させ、前記指示標識と前記基準標識とを前記ゲーム画面内で相対的に移動させることにより、前記複数の操作のそれぞれを各操作が行われるべき時期を示しつつ前記ユーザに指示する操作指示手段と、
前記ユーザの頭部に装着された装置に備えられ、前記ゲーム画面を表示する表示部と、
前記ユーザが行った複数の操作のそれぞれを所定の評価基準に従ってプレイ中に評価する操作評価手段と、を具備し、
前記操作指示手段には、前記操作評価手段における評価の状態に応じて前記ゲーム画面上に表示される指示標識の個数が増減するように、前記操作指示データに記述された操作に対応する指示標識とは異なる新たな指示標識を追加する処理、及び前記操作指示データに記述された操作に対応する指示標識から一部の指示標識を削除する処理の少なくともいずれか一方の処理を、前記操作指示データに対する補正処理として、前記評価の状態に応じて実行する操作指示補正手段が設けられているゲームシステム。